(57)【要約】【課題】  コネクタ外しだけでなく、遊技機内で送受信される信号にかかわる不正や制御基板や接続配線で発生する不正等についても検出でき、しかも、安価かつ簡易な構成で不正行為の発生を準備段階又は実行中に検出可能とする。【解決手段】  入力端子に直列接続された抵抗Ｒ１１と、入力端子に並列接続された抵抗Ｒ１２と、抵抗Ｒ１１にさらに直列接続された抵抗Ｒ１ｄとを備え、出力端子は、当該不正検出回路１０に加えられる電源電圧Ｖｃｃから抵抗Ｒ１ｄの電圧降下分を差し引いた電圧を出力信号Ｖｏｕｔとして出力する。さらに、出力信号Ｖｏｕｔと閾値とを比較し、出力信号Ｖｏｕｔが中間レベルを逸脱している場合に、異常発生を示す不正検出信号を出力する不正判定回路２０を備える。【選択図】    図１
2006109943.tif 000002
【特許請求の範囲】
【請求項１】
遊技機で発生した不正行為を検出する不正検出回路であって、
ＯＮ信号又はＯＦＦ信号を入力し、前記ＯＮ信号に対する出力信号及び／又は前記ＯＦＦ信号に対する出力信号を電源電圧と０Ｖとの中間レベルに設定し、前記中間レベルを逸脱した出力信号を検出すると、異常が発生したことを示す不正検出信号を出力する
ことを特徴とする不正検出回路。
【請求項２】
前記ＯＮ信号及び／又は前記ＯＦＦ信号を入力する入力端子と、
この入力端子に直列接続された第一抵抗と、
前記入力端子に並列接続された第二抵抗と、
前記第一抵抗にさらに直列接続された第三抵抗と、
当該不正検出回路に加えられる電源電圧から前記第三抵抗の電圧降下分を差し引いた電圧を前記出力信号として出力する出力端子と、
前記出力信号が前記中間レベルを逸脱したことを検出する不正判定回路とを有した
ことを特徴とする請求項１記載の不正検出回路。
【請求項３】
前記不正判定回路は、
前記出力信号と閾値とを比較するコンパレータ回路と、
前記閾値を前記コンパレータ回路に与える分圧回路と、
前記コンパレータ回路から出力された判定信号にもとづいて前記不正検出信号を出力する不正検出信号出力手段とを有した
ことを特徴とする請求項２記載の不正検出回路。
【請求項４】
前記不正判定回路は、
異なる出力信号について前記閾値との比較を行う複数の前記コンパレータ回路と、
前記出力信号単位で、前記コンパレータの出力側に接続される発光手段とを有した
ことを特徴とする請求項３記載の不正検出回路。
【請求項５】
所定の信号を出力する信号出力手段と、前記所定の信号を入力する信号入力回路とを備えた遊技機であって、
前記信号出力手段と前記信号入力回路との間に、前記所定の信号に関する不正行為を検出する不正検出回路を設け、
この不正検出回路が、前記請求項１〜４のいずれかに記載の不正検出回路からなる
ことを特徴とする遊技機。
【請求項６】
前記所定の信号は、スロットマシンのスタートレバーの操作により出力されるスタート信号からなる
ことを特徴とする請求項５記載の遊技機。
【請求項７】
前記所定の信号は、パチンコ機の始動入賞口に遊技媒体が入賞したときに出力される始動入賞検出信号からなる
ことを特徴とする請求項５記載の遊技機。
【請求項８】
前記所定の信号は、遊技媒体払出機から払い出された遊技媒体を検出することにより検出センサから出力される遊技媒体払出信号からなる
ことを特徴とする請求項５記載の遊技機。
【請求項９】
前記所定の信号は、メダル投入口に投入されたメダルの検出によりメダル検知センサから出力されるメダル検知信号からなる
ことを特徴とする請求項５記載の遊技機。
【請求項１０】
不正行為の発生を検出する不正検出回路を有した遊技機と、前記不正検出回路から出力された不正検出信号を受信する管理装置とを備えた遊技場システムであって、
前記不正検出回路が、請求項１〜４のいずれかに記載の不正検出回路からなる
ことを特徴とする遊技場システム。
【請求項１１】
前記遊技機から前記管理装置へ前記不正検出信号を送信する通信路と、
この通信路で発生する不正行為を検出する通信路不正検出回路とを有し、
この通信路不正検出回路は、
送信された前記不正検出信号を前記管理装置で受信したときの受信信号、又は、前記不正検出信号が送信されていないときの前記受信信号のうち一方又は双方を、電源電圧と０Ｖとの中間レベルに設定し、前記中間レベルを逸脱した受信信号を検出すると、前記通信路で不正行為が発生したことを示す不正検出信号を出力する
ことを特徴とする請求項１０記載の遊技場システム。
【発明の詳細な説明】
【技術分野】
【０００１】
本発明は、遊技機で発生した不正行為を検出する不正検出回路、これを備えた遊技機及び遊技場システムに関し、特に、制御基板や集積回路、抽選にかかわる信号などに関係した不正行為をその準備段階や実行中で検出するのに好適な不正検出回路、遊技機及び遊技場システムに関する。
【背景技術】
【０００２】
遊技ホールには、スロットマシンやパチンコ機などの遊技機が複数設置されている。
これら遊技機は、所定の法規により厳格にその遊技性能が管理されており、適正とされたものだけが、その遊技ホールに設置される。
また、遊技機の動作はプログラム制御、すなわち記憶手段（例えば、ＲＡＭなど）に記憶されたプログラムを制御基板に取り付けられたＣＰＵ（Ｃｅｎｔｒａｌ  Ｐｒｏｃｅｓｓｉｎｇ  Ｕｎｉｔ、中央処理装置）が読み込んで実行することにより制御されている。
【０００３】
ところが、このように管理や制御が行われている遊技機においては、様々な手法で不正に大量の賞球を得ようとする行為（不正行為）が行われており、大きな問題となっている。
例えば、営業中に不正（違法）に設定変更するものがある。営業中に設定を変更することは法上禁止されている。ところが、これを犯して秘密裏に行うことで不正に多量の遊技媒体を獲得しようとする。
また、遊技機の抽選にかかわる入力信号（例えば、スロットマシンの場合は、スタートレバーの押下により出力されるスタート信号、パチンコ機の場合は、始動入賞口に入賞したパチンコ玉が検出されたときに出力される始動入賞検出信号）の配線又は端子に、不正信号（抽選の乱数発生カウンタのタイミングに合わせた信号）を入力する装置をぶら下げるものがある。
さらに、主制御基板に対する不正がある。例えば、遊技を制御する主制御基板の収納ボックスを開けてＲＯＭを交換するものや、収納ボックス自体を交換するものなどがある。
【０００４】
また、遊技媒体払出信号に関する不正（ぶら下げ）がある。
例えば、スロットマシンにおいては、メダル払出機のメダル払い出し信号（１個のメダルが払い出されると１パルスの信号が出る）が出力される。一方、パチンコ機では、賞球払出信号（１個の玉が払い出されると１パルスの信号が出る）が出力される。これら信号をオープンにすると、いくら払い出しても信号が出力されないため、大量のメダルや玉を不正に獲得できる。
ただし、この不正行為への対策として、最近では、払い出し動作信号を払出機に送ってから所定時間払出信号が来ないときに不正とみなす方法も実施されている。ところが、適当な数少ない信号を入力すれば、この方法は機能しなくなる（玉貸機の払い出し信号も同様である。）。
【０００５】
さらに、メダル投入における不正（ぶら下げ）がある。
投入メダルのメダルセレクタの検知信号線に不正基板を接続し、パルス信号を入力することで、メダルを投入しなくても、クレジットがフルになり、その後のオーバー分を不正に獲得するものである。
これら不正行為が行われると、少ない売上で（あるいは売上無しに）大量に遊技媒体が獲得されてしまうため、ホール側は多大な損失を被ることとなる。
【０００６】
そうした不正行為に対し、従来から、不正行為の発生を検出する装置が提案されている。
例えば、主制御基板に設けられたコネクタの全体を覆うコネクタカバーを取り付け、このコネクタカバーを壊さない限りそのコネクタを取り外すことができないようにし、さらに、そのコネクタカバーが破壊されたときの痕跡を保持する痕跡保持部材を備えたものがある（例えば、特許文献１参照。）。
また、この特許文献１には、コネクタが取り外されたことを電子回路により検出する手法が開示されている。
【特許文献１】特開２００２−２１０１７９号公報
【発明の開示】
【発明が解決しようとする課題】
【０００７】
しかしながら、特許文献１に記載の従来の不正検出装置においては、コネクタカバーが破壊された事実を痕跡として残すことはできるものの、ホール側がその痕跡を確認できるのは、営業時間終了後、すなわち不正行為が実行終了し獲得遊技媒体が交換されて不正行為者が立ち去った後であった。このため、ホール側は、その痕跡を確認できたとしても、不正行為者を特定できず、しかも、多大な損失を被る結果となっていた。
【０００８】
これに対し、コネクタ外しを電子回路により検出する手法によれば、不正行為の発生を知らせる信号をその電子回路（不正検出回路）から出力させることで、その発生時点での認知が可能となる。
ところが、特許文献１に記載の不正検出回路は、コネクタが外れたことについては検出できるものの、例えば、制御基板間の接続配線が断線又は短絡したことや、電源が切断されたことについては検出できなかった。このように、発見できる不正行為の種類が限定されてしまい、多様化する不正行為に対応できなかった。
【０００９】
しかも、特許文献１に記載の不正検出回路においては、コネクタの外れを検出する手法として、フォトインタラプタを用いていた。このフォトインタラプタは、コネクタが接合されると接合片が光伝達を遮断するためＯＦＦ状態となり、一方、コネクタが外されると、接合片が離間して光伝達が行われるためＯＮ状態となる。これにより、コネクタ外しの検出が可能となる。
ところが、一台の遊技機にはコネクタが多数取り付けられている。それらコネクタの一つ一つにフォトインタラプタを設けるとコスト高となっていた。しかも、コネクタにフォトインタラプタや接合片を取り付けるための加工をしなければならず、手間がかかるとともに、この点でもコスト高となっていた。
【００１０】
本発明は、上記の事情にかんがみなされたものであり、遊技機で起こる不正行為を早期に発見して、ホール側の損失の軽減と不正行為者の特定を可能とするとともに、コネクタ外しだけでなく、多種多様な不正行為に対応でき、しかも、安価かつ簡易な構成で不正行為の発生を検出可能とする不正検出回路、遊技機及び遊技場システムの提供を目的とする。
【課題を解決するための手段】
【００１１】
この目的を達成するため、本発明の不正検出回路は、遊技機で発生した不正行為を検出する不正検出回路であって、ＯＮ信号又はＯＦＦ信号を入力し、ＯＮ信号に対する出力信号及び／又はＯＦＦ信号に対する出力信号を電源電圧と０Ｖとの中間レベルに設定し、中間レベルを逸脱した出力信号を検出すると、異常が発生したことを示す不正検出信号を出力する構成としてある。
【００１２】
不正検出回路をこのような構成とすると、出力信号が中間レベルを逸脱しているか否かを判定することにより、不正行為の発生を知ることができる。
一般に、信号の入出力回路は、ＯＦＦ信号を入力すると０Ｖの出力信号を出力し、ＯＮ信号を入力すると例えば電源電圧５Ｖの出力信号を出力する。そして、回路上で断線あるいは短絡が発生したとき、出力信号は、それらと同じの値、すなわち電源電圧あるいは０Ｖを示すようになる。
これに対し、本発明の不正検出回路は、ＯＮ信号やＯＦＦ信号が入力されると、０Ｖや電源電圧ではなく、それらの中間レベルの出力信号が出力される。つまり、出力信号は、正常時には中間レベルを示し、異常時に０Ｖあるいは電源電圧を示す。
このため、出力信号が中間レベルの範囲内を示しているか否かを判定することで、異常の発生を検出できる。
【００１３】
特に、本発明の不正検出回路は、主制御基板のコネクタにかかわる不正行為だけでなく、様々な不正行為に対応できる。
例えば、営業時間中の設定変更を検出できる。
遊技機の設定変更は必ず電源をＯＦＦにする必要がある。本発明の不正検出回路は、出力信号が０Ｖとなることがすなわち中間レベルを逸脱することとなるため、電源がＯＦＦにされたことを検出できる。
なお、遊技機の電源がＯＦＦにされるのは、不正で設定変更される場合に限らず、例えば、遊技機自体に異常が発生したために保守点検等でＯＦＦにされる場合もある。ただし、この場合も遊技機で異常が発生していることに違いはないため、いずれにしても電源がＯＦＦになったことを検出することは有効である。
【００１４】
また、遊技機の抽選にかかわる入力信号の配線又は端子に不正信号を入力する装置（不正信号入力装置）をぶら下げる行為（ぶら下げ不正）についても検出できる。
不正信号入力装置をぶら下げる場合、入力信号の配線又は端子に細工を施すが、この際配線等を断線あるいは短絡させることがある。本発明の不正検出回路では、断線時や短絡時の出力信号が中間レベルから逸脱した値となるため、その不正行為を検出できる。
しかも、断線や短絡は不正信号入力装置を取り付けているとき、つまり、不正行為の準備段階で発生する。このため、本発明は、その準備段階で不正行為の検出を可能とし、遊技媒体の不正な獲得を未然に防止できる。
【００１５】
さらに、主制御基板の収納ボックスを開けてＲＯＭを交換する不正行為や、主制御基板自体を交換する不正行為についても検出できる。これらは、コネクタの一部又は全部を外さなければ不可能であるが、コネクタ外しはすなわち回路が寸断されることであり断線と同じである。このため、本発明の不正検出回路により、それら不正行為を検出できる。
【００１６】
また、払出不正についても検出できる。払出不正は、遊技媒体払出信号（メダル払出信号あるいは賞球払出信号）の信号線をオープンにして行われる。このため、断線や短絡の検出可能な本発明の不正検出回路によりその検出が可能となる。
なお、最近では、払出動作信号を送出後、所定時間経過しても払出信号が送られてこないときは不正と判定する方法が実施されている。これに対し、適当な数少ない信号を入力することでその判定を回避することも行われている。本発明は、遊技媒体払出信号の送出の有無とは関係しないため、確実にその不正行為の発生を検出できる。
【００１７】
さらに、メダルセレクタの検知信号線に不正信号入力装置をぶら下げる不正行為についても検出できる。この場合も不正信号入力装置のぶら下げにより配線が断線あるいは短絡し得る。このため、本発明の不正検出回路によりその不正行為を検出できる。
【００１８】
これらのように、本発明の不正検出回路は、回路上の断線や短絡、電源の切断の有無を判定することで不正行為の発生を検出している。そして、それら断線等は、不正行為が現に行われている状態、あるいはその準備段階で発生するものである。このため、本発明の不正検出回路は、早期に不正行為の発生を検出できる。これにより、遊技ホール側は、不正行為への対応を迅速に行うことができ、不正行為者の特定が可能となり、しかも、不正行為に伴う損失を軽減・防止できる。
さらに、本発明の不正検出回路を遊技機に設けることで、不正行為を牽制し、その発生を未然に防止して、ホール側の損失を低減させることができる。
【００１９】
また、本発明の不正検出回路は、ＯＮ信号及び／又はＯＦＦ信号を入力する入力端子と、この入力端子に直列接続された第一抵抗と、入力端子に並列接続された第二抵抗と、第一抵抗にさらに直列接続された第三抵抗と、当該不正検出回路に加えられる電源電圧から第三抵抗の電圧降下分を差し引いた電圧を出力信号として出力する出力端子と、出力信号が中間レベルを逸脱したことを検出する不正判定回路とを有した構成としてある。
【００２０】
不正検出回路をこのような構成とすれば、ＯＮ信号が入力されたときの出力信号や、ＯＦＦ信号が入力されたときの出力信号を、０Ｖと電源電圧との間の中間レベルにすることができる。一方、回路上で断線や短絡が発生したり電源が落とされたりすると出力信号は０Ｖあるいは電源電圧値を示す。このため、出力信号が中間レベルを逸脱したか否かを判定することにより、発生した不正行為を確実に検出できる。
しかも、断線や短絡、電源の切断などは不正行為が現に実行されているとき、あるいはその準備段階で発生する。このため、本発明の不正検出回路により、不正行為を実行時又は準備段階で即座に検出できる。したがって、不正に賞球が払い出される前にその不正行為の発生を察知でき、ホール側は、不正行為者を特定するなど、迅速かつ有効な対応が可能となる。
【００２１】
さらに、本発明の不正検出回路は、入力端子と出力端子、そして三つの抵抗を備えた簡易かつ安価な構成で、不正行為の検出を実現できる。
しかも、フォトインタラプタなどを用いずにコネクタ外し等を検出できる。このため、そのフォトインタラプタ等に要するコストや、コネクタ部の加工に要するコストを低減・回避できる。
【００２２】
また、本発明の不正検出回路は、不正判定回路が、出力信号と閾値とを比較するコンパレータ回路と、閾値をコンパレータ回路に与える分圧回路と、コンパレータ回路から出力された判定信号にもとづいて不正検出信号を出力する不正検出信号出力手段とを有した構成としてある。
【００２３】
不正検出回路をこのような構成とすると、出力信号が中間レベルを逸脱したか否かを不正判定回路により判定できる。
コンパレータ回路は、入力した二つの信号の大小にもとづいて信号を出力する。このため、適切な閾値を設定することにより、コンパレータ回路にそれら閾値と出力信号とを入力させ、比較させることで、出力信号が中間レベルを逸脱したか（上回ったか、あるいは下回ったか）を判定できる。これにより、不正行為の発生を検出できる。
【００２４】
また、本発明の不正検出回路は、不正判定回路が、異なる出力信号について閾値との比較を行う複数のコンパレータ回路と、出力信号単位で、コンパレータの出力側に接続される発光手段とを有した構成としてある。
【００２５】
不正検出回路をこのような構成とすれば、異常の発生が断線やコネクタ外しによるものか、あるいは短絡や電源の切断によるものかを判別できる。
例えば、出力信号が中間レベルを上回る場合としては、例えば回路上で断線やコネクタ外しが発生した場合などがある。一方、出力信号が中間レベルを下回る場合としては、例えば回路上で短絡や電源の切断が発生した場合などがある。そして、出力信号が中間レベルを上回った場合には第一発光手段が動作し、出力信号が中間レベルを下回った場合には第二発光手段が動作する。このため、遊技ホール側は、第一発光手段が動作したか、あるいは第二発光手段が動作したかを見定めることにより、異常の内容を知ることができる。
【００２６】
また、本発明の遊技機は、所定の信号を出力する信号出力手段と、所定の信号を入力する信号入力回路とを備えた遊技機であって、信号出力手段と信号入力回路との間に、所定の信号に関する不正行為を検出する不正検出回路を設け、この不正検出回路が、請求項１〜４のいずれかに記載の不正検出回路からなる構成としてある。
遊技機をこのような構成とすれば、遊技機内で不正が行われ得る重要な各種信号に対して本発明を適用できる。ここで、不正が行われ得る信号（所定の信号）には、例えば、遊技機の抽選にかかわる入力信号（スロットマシンにおけるスタートレバー信号、パチンコ機における始動入賞検出信号）、払出信号（スロットマシンにおけるメダル払出信号、パチンコ機における賞球払出信号）、スロットマシンにおけるメダル検知信号などが含まれる。本発明の遊技機に設けられた不正検出回路は、これら信号にかかわる不正行為についての検出が可能である。
【００２７】
また、本発明の遊技機は、所定の信号が、スロットマシンのスタートレバーの操作により出力されるスタート信号からなる構成としてある。
遊技機をこのような構成とすると、スタート信号にかかわる不正行為、例えば抽選の乱数発生カウンタのタイミングに合わせた信号を入力する装置をぶら下げる行為を、不正検出回路により検出できる。
【００２８】
また、本発明の遊技機は、所定の信号が、パチンコ機の始動入賞口に遊技媒体が入賞したときに出力される始動入賞検出信号からなる構成としてある。
遊技機をこのような構成とすれば、始動入賞検出信号にかかわる不正行為、例えば抽選の乱数発生カウンタのタイミングに合わせた信号を入力する装置をぶら下げる行為を、不正検出回路により検出できる。
【００２９】
また、本発明の遊技機は、所定の信号が、遊技媒体払出機から払い出された遊技媒体を検出することにより検出センサから出力される遊技媒体払出信号からなる構成としてある。
遊技機をこのような構成とすれば、払出信号にかかわる不正行為、例えば、払出信号が送られる配線をオープンにして際限無く遊技媒体を払い出させる行為を、不正検出回路により検出できる。
【００３０】
また、本発明の遊技機は、所定の信号が、メダル投入口に投入されたメダルの検出によりメダル検知センサから出力されるメダル検知信号からなる構成としてある。
遊技機をこのような構成とすれば、メダル検知信号にかかわる不正行為、例えば、メダル検知信号が送られる配線にパルス発生装置をぶら下げてクレジットのオーバー分を払い出させる行為を、不正検出回路により検出できる。
【００３１】
また、本発明の遊技場システムは、不正行為の発生を検出する不正検出回路を有した遊技機と、不正検出回路から出力された不正検出信号を受信する管理装置とを備えた遊技場システムであって、不正検出回路が、請求項１〜４のいずれかに記載の不正検出回路からなる構成としてある。
【００３２】
遊技場システムをこのような構成とすると、遊技機で発生した不正行為を管理装置で把握できる。このため、遊技ホール側は、遊技機で不正行為が発生したことを管理装置を介して早期に知得でき迅速に対応できる。これにより、不正行為者の特定が可能となり、ホール側の損失を軽減できる。
【００３３】
また、本発明の遊技場システムは、遊技機から管理装置へ不正検出信号を送信する通信路と、この通信路で発生する不正行為を検出する通信路不正検出回路とを有し、この通信路不正検出回路は、送信された不正検出信号を管理装置で受信したときの受信信号、又は、不正検出信号が送信されていないときの受信信号のうち一方又は双方を、電源電圧と０Ｖとの中間レベルに設定し、中間レベルを逸脱した受信信号を検出すると、通信路で不正行為が発生したことを示す不正検出信号を出力する構成としてある。
遊技場システムをこのような構成とすれば、不正信号が送信される通信路を対象とした不正行為についても検出できる。
【発明の効果】
【００３４】
以上のように、本発明によれば、ＯＮ信号が入力されたときの出力信号や、ＯＦＦ信号が入力されたときの出力信号が、０Ｖと電源電圧との間の中間レベルで設定されるため、出力信号が中間レベルを逸脱したか否かを判定することにより、不正行為が発生したことを検出できる。
また、本発明の不正検出回路は、コネクタ外しだけでなく、回路上の断線や短絡、電源の切断などの検出を可能とする。このため、主制御基板にかかわる不正行為の他、遊技機の抽選にかかわる入力信号に関する不正行為など様々な不正行為の検出が可能となる。
しかも、断線や短絡、電源の切断といった行為は、不正行為が現に行われている時点、あるいはその準備段階で発生するものである。このため、不正行為を早期に発見して、不正行為者を特定可能とするとともに、遊技ホール側の損失を低減できる。
さらに、入力端子と出力端子の他、三つの抵抗を少なくとも備えていればよく、簡易な構成で不正検出回路を実現でき、安価な回路を提供できる。
【発明を実施するための最良の形態】
【００３５】
以下、本発明に係る不正検出回路、遊技機及び遊技場システムの好ましい実施形態について、図面を参照して説明する。
【００３６】
［不正検出回路］
まず、本実施形態の不正検出回路について、図１を参照して説明する。
同図に示すように、本実施形態の不正検出回路１０は、入力信号Ｖｉｎが入力される入力端子と、この入力端子にシリアル（直列）に接続される抵抗Ｒ１１（第一抵抗）と、入力端子にパラレル（並列）に接続される抵抗Ｒ１２（第二抵抗）と、抵抗Ｒ１１にさらにシリアルに接続される抵抗Ｒ１ｄ（第三抵抗）とを有している。そして、この不正検出回路１０には電源電圧Ｖｃｃが印加されており、出力端子は、電源電圧Ｖｃｃから抵抗Ｒ１ｄの電圧降下分を差し引いた電圧を出力信号Ｖｏｕｔとして出力する。
【００３７】
次に、この不正検出回路の動作について、図１を参照して説明する。
（１）入力端子に入力信号Ｖｉｎが入力されていない場合（入力信号がＯＦＦの場合）
出力信号Ｖｏｕｔは、次式で表すことができる。
Ｖｏｕｔ＝（Ｖｃｃ／（Ｒ１１＋Ｒ１２＋Ｒ１ｄ））×（Ｒ１１＋Ｒ１２）
・・・（式１）
ここで、具体的な数値として、電源電圧Ｖｃｃ＝５［Ｖ］、抵抗Ｒ１１＝１［ｋΩ］、抵抗Ｒ１２＝３［ｋΩ］、抵抗Ｒ１ｄ＝５．６［ｋΩ］を代入すると、出力信号Ｖｏｕｔは、次のような数値となる。
Ｖｏｕｔ＝（５／（１０００＋３０００＋５６００））×（１０００＋３０００）＝２．０８３３・・・［Ｖ］
・・・（式２）
【００３８】
（２）入力端子に入力信号Ｖｉｎが入力されている場合（入力信号がＯＮの場合）
出力信号Ｖｏｕｔは、次式で表すことができる。
Ｖｏｕｔ＝Ｖｃｃ／（Ｒ１１＋Ｒ１ｄ）×Ｒ１１    ・・・（式３）
ここで、上記の具体的な数値を代入すると、出力信号Ｖｏｕｔは、次のような数値となる。
Ｖｏｕｔ＝５／（１０００＋５６００）×１０００＝０．７５７５・・・［Ｖ］
・・・（式４）
【００３９】
（３）断線した場合
不正検出回路１０が図２に示す箇所で断線した場合、出力信号Ｖｏｕｔは、次式で表すことができる。
Ｖｏｕｔ＝Ｖｃｃ                                ・・・（式５）
この場合、入力信号ＶｉｎがＯＮであるかＯＦＦであるかは関係しない。
【００４０】
（４）短絡した場合
不正検出回路１０が図３に示す箇所で短絡した場合、出力信号Ｖｏｕｔは、次式で表すことができる。
Ｖｏｕｔ＝０                                    ・・・（式６）
この場合、入力信号ＶｉｎがＯＮであるかＯＦＦであるかは関係しない。
なお、電源が落とされたとき（電源ＯＦＦ時）にも、出力信号Ｖｏｕｔは０Ｖとなる。
【００４１】
これらをまとめると、図４に示すようになる。
すなわち、本実施形態の不正検出回路においては、入力信号のＯＦＦ時の出力信号ＶｏｕｔとＯＮ時の出力信号Ｖｏｕｔが、電源電圧Ｖｃｃや０Ｖではなく、これらの中間レベルとして設定される。
例えば、上記の具体的な数値をあてはめたときには、入力信号がＯＦＦのとき出力信号Ｖｏｕｔが２．０８３３［Ｖ］、入力信号がＯＮのとき出力信号Ｖｏｕｔが０．７５７５［Ｖ］となる。
【００４２】
一方、断線や短絡、電源の切断などの異常が発生したとき、出力信号Ｖｏｕｔは、電源電圧Ｖｃｃと同じ電圧値あるいは０Ｖの値を示す。
これらのことから、出力信号Ｖｏｕｔが中間レベルの範囲内であれば正常状態であるもの（異常が発生していないもの）と判定することができ、また、中間レベルの範囲を逸脱していれば、異常が発生したものと判定することができる。
【００４３】
ところで、この不正検出回路１０には、出力信号Ｖｏｕｔが中間レベルの範囲から逸脱したか否かを判断する回路として、不正判定回路２０を設けることができる。
不正判定回路２０は、図５に示すように、分圧回路２１と、二つのコンパレータ（コンパレータ回路）ＯＣ１，ＯＣ２と、不正検出信号出力手段２２とを有している。
分圧回路２１は、電源電圧Ｖｃｃを分圧した分圧電圧をコンパレータＯＣ１，ＯＣ２に与える。分圧電圧は、コンパレータＯＣ１，ＯＣ２で出力信号Ｖｏｕｔと比較される電圧となる。すなわち、分圧電圧は、異常が発生したか否かを判断するための閾値となる。
【００４４】
分圧回路２１がコンパレータＯＣ１，ＯＣ２に与える分圧電圧は、図６に示すように、０Ｖと電源電圧Ｖｃｃとの間であって中間レベルの範囲を逸脱した範囲（上位閾値設定範囲、下位閾値設定範囲）に設定される。
なお、中間レベルの範囲とは、正常時（異常が発生していない状態のとき）に出力信号Ｖｏｕｔが変化し得る範囲をいう。
【００４５】
具体例を示す。
例えば、上記の具体的な数値をあてはめると、電源電圧Ｖｃｃは５［Ｖ］、中間レベルの高位レベルは２．０８３３［Ｖ］（入力信号ＯＦＦ時）、低位レベルは０．７５７５［Ｖ］（入力信号ＯＮ時）となり、分圧電圧（上位閾値、下位閾値）は、高位レベルである２．０８３３［Ｖ］と電源電圧Ｖｃｃとの間（上位閾値設定範囲）に設定され、また、低位レベルである０．７５７５［Ｖ］と０Ｖとの間（下位閾値設定範囲）に設定される。
なお、本実施形態においては、上位閾値として３［Ｖ］、下位閾値として０．５［Ｖ］に設定されるものとする。これにより、出力信号Ｖｏｕｔが３［Ｖ］以上又は０．５［Ｖ］以下であれば、異常が発生したものと判定できる。
【００４６】
コンパレータＯＣ１，ＯＣ２は、分圧回路２１から与えられた分圧電圧（閾値）と不正検出回路１０からの出力信号Ｖｏｕｔの示す電圧とを比較し、この比較結果にもとづく信号（判定信号）を出力する。
二つあるコンパレータのうち、一方のコンパレータＯＣ１は、＋端子に分圧電圧のうち上位閾値（例えば、３Ｖ）、−端子に出力信号Ｖｏｕｔを入力する。出力信号Ｖｏｕｔが分圧電圧（上位閾値３Ｖ）よりも下回っているときは判定信号が出力される。一方、出力信号Ｖｏｕｔが分圧電圧（上位閾値３Ｖ）を上回っているときは判定信号が出力されない。
他方、コンパレータＯＣ２は、＋端子に出力信号Ｖｏｕｔ、−端子に分圧電圧のうち下位閾値（例えば、０．５Ｖ）を入力する。出力信号Ｖｏｕｔが分圧電圧（下位閾値０．５Ｖ）よりも上回っているときは判定信号が出力される。一方、出力信号Ｖｏｕｔが分圧電圧（下位閾値０．５Ｖ）よりも下回っているときは判定信号が出力されない。
【００４７】
不正検出信号出力手段２２は、例えば、フォトカプラなどで構成でき、コンパレータＯＣ１，ＯＣ２からの判定信号にもとづいて、正常又は異常を示す不正検出信号を出力する。
例えば、コンパレータＯＣ１，ＯＣ２の双方から判定信号が出力されているときは、不正検出信号出力手段２２からは正常を示す不正検出信号が出力される（不正検出信号ＯＮ）。一方、コンパレータＯＣ１，ＯＣ２の一方又は双方から判定信号が出力されなくなると、不正検出信号出力手段２２からは不正検出信号は出力されない（不正検出信号ＯＦＦ、つまり異常を示す不正検出信号が出力される）。
【００４８】
これらをまとめると、図７に示すようになる。すなわち、入力信号ＶｉｎがＯＦＦ又はＯＮのとき（正常時）には、不正検出信号はＯＮとなる。一方、断線、短絡、電源ＯＦＦなどの異常が発生したとき（異常時）は、不正検出信号はＯＦＦとなる。
このような構成により、本実施形態の不正検出回路は、異常が発生したか否かを判定し、その判定結果を不正検出信号として出力することができる。
【００４９】
［遊技機］
次に、不正検出回路を備えた本実施形態の遊技機について説明する。
まず、遊技機の代表例であるスロットマシンの概略構成について、図８及び図９を参照して説明する。
図８は、本実施形態のスロットマシンの前面の構成を示す正面図、図９は、その遊技機の内部構造を示す斜視図である。
なお、本実施形態においては、スロットマシンを遊技機の代表例として説明するが、本実施形態の遊技機は、スロットマシンに限るものではなく、例えば、パチンコ機、雀球機、アレンジボールなどが含まれる。
【００５０】
図８に示すように、スロットマシン（遊技機）Ａは、前扉３０に、メダル投入口３１と、クレジット表示部３２と、クレジット精算スイッチ３３と、ＢＥＴスイッチ３４と、ＭＡＸＢＥＴスイッチ３５と、スタートレバー３６と、複数のストップボタン３７（３７ａ〜３７ｃ）と、メダル払出口３８と、メダル返却ボタン３９と、ランプＬと、スピーカＳＰとを備えている。さらに、スロットマシンＡの本体内部には、図２に示すように、ドラムユニット４０と、制御手段５０とを備えている。
【００５１】
メダル投入口３１は、ゲームに賭けられるメダルの受け入れ口である。このメダル投入口３１に投入されたメダルは、メダルセレクタ３１−１で検知される。メダルセレクタ３１−１は、メダルを検知するとメダル検知信号を制御手段５０へ送る。
クレジット表示部３２は、現在クレジットとして貯留されているメダルの枚数を表示する。
クレジット精算スイッチ３３は、クレジットとして貯留されたメダルを払い出すためのスイッチである。
【００５２】
ＢＥＴスイッチ３４及びＭＡＸＢＥＴスイッチ３５は、クレジットとして貯留されたメダルをゲームに賭けるためのスイッチである。そのうち、ＢＥＴスイッチ３４は、クレジットとして貯留されたメダルを、一回の操作につき一枚ずつ賭けることができる。ＭＡＸＢＥＴスイッチ３５は、一回のゲームに賭けられる最大枚数（例えば三枚）を、一回の操作で賭けることができる。
【００５３】
スタートレバー３６は、遊技者により操作されるとスタート信号を制御手段５０へ送る。このスタート信号を受け取った制御手段５０においては、メダル投入口３１に投入されたメダルの枚数、又は、ＢＥＴスイッチ３４やＭＡＸＢＥＴスイッチ３５を用いて賭けられたメダルの枚数が検知される。そして、後述する回胴４１ａ〜４１ｃの回転が開始される。
ストップボタン３７ａ〜３７ｃは、回胴４１ａ〜４１ｃと同数（通常は三つ）設けられている。これらのストップボタン３７ａ〜３７ｃが押されると、対応する回胴４１ａ〜４１ｃの回転が停止する。
【００５４】
メダル払出口３８は、ゲームの入賞内容に応じて、所定枚数のメダルが払い出される部分である。また、精算された貯留メダルも、ここから払い出される。
メダル返却ボタン３９は、メダルセレクタ部（図示せず）にメダルが滞留した場合に操作される。このメダル返却ボタン３９を操作すると、メダルセレクタ部に滞留したメダルがメダル払出口３８から返却される。
ランプＬは、その点灯や点滅により、遊技の演出を行う。
スピーカＳＰは、効果音、払出音、音声メッセージなどの出音により、遊技の演出を行う。
【００５５】
ドラムユニット４０は、回胴４１ａ〜４１ｃを有しており、制御手段５０からのパルス（駆動）信号にもとづき、回胴４１ａ〜４１ｃの回転の始動、定速回転及び停止の制御を行う。また、ドラムユニット４０は、各回胴４１ａ〜４１ｃに付されたマーカー（原点）を認識し、マーカー信号を制御手段５０へ送る。
回胴４１ａ〜４１ｃは、外周に複数の図柄を配した円柱状のリールであり、一台のスロットマシンＡに通常三つ（又は四つ以上）設けられている。
【００５６】
なお、本発明における回胴は、図９に示すように、回胴（左）４１ａ、回胴（中）４１ｂ及び回胴（右）４１ｃからなるものとする。
ただし、本発明のスロットマシンは、回胴を四つ以上有するスロットマシンにおいても、適用可能である。
【００５７】
制御手段５０は、図９、図１０に示すように、主基板（主制御基板）５１と、従基板５２とを有している。
なお、本実施形態においては、主基板５１と従基板５２とを総称して「制御基板」という。
【００５８】
主基板５１は、スロットマシンＡの動作全般を統括制御する基板である。この主基板５１は、従基板５２から所定の信号を入力する。従基板５２から送られてくる所定の信号には、例えば、スタートレバー３６が押下されたときに送られてくるスタート信号、払い出される遊技媒体が検知されたときに送られてくる遊技媒体払出信号、投入されたメダルが検知されたときに送られてくるメダル検知信号などがある。
なお、主基板５１に設けられた回路であって、従基板５２から送られてきた所定の信号を入力する回路を「信号入力回路」という。
【００５９】
従基板５２は、スロットマシンＡに備えられた各構成（例えば、メダル投入口３１，クレジット精算スイッチ３３，ＢＥＴスイッチ３４，ＭＡＸＢＥＴスイッチ３５，スタートレバー３６，ストップボタン３７など）において、それら構成各部の動作等を検出し信号として主基板５１へ伝えるための基板である。
この従基板５２には、例えば、スタートレバーユニット５２ａ、ＢＥＴスイッチユニット、ＭＡＸＢＥＴスイッチユニット、ストップボタンユニットなどに代表される制御基板、操作スイッチ類の制御ユニット、各種端子盤などが含まれる（ＢＥＴスイッチユニット、ＭＡＸＢＥＴスイッチユニット、ストップボタンユニットは、図示せず）。また、従基板５２には、遊技媒体払出装置やメダルセレクタにおいて所定の信号を出力する部分（基板や電子素子など）を含む。
なお、上記構成各部の動作等を検出し信号として出力する手段を「信号出力手段」（従基板５２やこの従基板５２に設けられる信号出力用電子素子（例えば、フォトインタラプタ等）などを含む）という。
【００６０】
次に、遊技機に設けられる不正検出回路の具体例について説明する。
本実施形態の不正検出回路（前述）は、例えば、遊技機における次の箇所に設けることができる。
（１）遊技機の抽選にかかわる入力信号が出力、送信される回路
（２）コネクタを介して接続される主基板及び接続配線
（３）遊技媒体払出信号が出力、送信される回路
（４）メダルセレクタから出力されるメダル検知信号の送信される回路
これら各箇所に設けられる不正検出回路について、以下、順次説明する。
【００６１】
＜遊技機の抽選にかかわる入力信号が出力、送信される回路（不正検出回路Ａ）＞
遊技機で発生する不正行為には、例えば、遊技機の抽選にかかわる入力信号（スロットマシンにおけるスタート信号、パチンコ機における始動入賞検出信号）の配線又は端子に、不正信号（抽選の乱数発生カウンタのタイミングに合わせた信号）を入力する装置（不正信号入力装置）をぶら下げるものがある。
このような不正信号入力装置をぶら下げる行為は、配線の断線や短絡を伴う。このため、配線の断線や短絡を検出することで、不正行為を発見できる。
【００６２】
ここでは代表例として、スロットマシンにおいてスタート信号が出力、送信される回路に設けられる不正検出回路Ａ（１０Ａ）について、図１０、図１１を参照して説明する。
図１０は、主基板５１及び従基板５２に設けられる不正検出回路の主要構成を示す回路図、図１１は、図１０に示す回路図のうち、不正検出回路Ａに関する部分を取り出して示した回路図である。
なお、主基板５１と従基板５２とは図１０においては、それぞれ一つずつ設けられているが、それぞれ一つずつに限るものではなく、いずれも一の遊技機Ａに複数設けることができる。
【００６３】
図１０、図１１に示すように、従基板５２（スタートレバーユニット５２ａ）には、スタート信号を出力するフォトインタラプタＦＩが設けられている。一方、主基板５１には、そのスタート信号を受けて入力信号Ｖ０を出力する入力回路５１−１が設けられている。さらに、スタートレバーユニット５２ａと主基板５１との間には、そのスタート信号や他の信号等を送るための接続配線５３（配線ａ〜ｅ）が接続されている。また、主基板５１とこれに接続される一又は二以上の接続配線５３とは、それぞれコネクタ部Ｋ１１〜Ｋ１ｎにより接続されており、従基板５２とこれに接続される一又は二以上の接続配線５３とは、それぞれコネクタ部Ｃ１１〜Ｃ１ｎにより接続されている。
【００６４】
フォトインタラプタＦＩの出力トランジスタには、直列に抵抗Ｒ５１が接続されている。この抵抗Ｒ５１は、他方が配線ｂに接続されている。
さらに、その出力トランジスタには、並列に抵抗Ｒ５２が接続されている。このため、抵抗Ｒ５２は、一方が抵抗Ｒ５１の一方に接続されており、他方が配線ｃに接続されている。
なお、抵抗Ｒ５１が図１に示す抵抗Ｒ１１に相当し、抵抗Ｒ５２が図１に示す抵抗Ｒ１２に相当する。
【００６５】
配線ｂと抵抗Ｒ５１との間を点ア、配線ｃと抵抗Ｒ５２（又は、フォトインタラプタＦＩ）との間を点イとすると、これら点アと点イとの間の電圧が出力信号Ｖｏｕｔとして不正判定回路２０ｓへ送られる。
図１０、図１１に示す従基板５２に設けられる不正判定回路２０ｓは、図１２に示すように、分圧電圧を与える分圧回路２１ｓ（抵抗Ｒ６１，抵抗Ｒ６２，抵抗Ｒ６３）と、分圧電圧と出力信号Ｖｏｕｔとを比較するコンパレータＯＣ１ｓ〜ＯＣ４ｓと、これらコンパレータＯＣ１ｓ〜ＯＣ４ｓからの判定信号にもとづいて不正検出信号の出力を制御する不正信号出力手段２２ｓと、抵抗Ｒ６４とを有している。なお、不正検出回路１０Ａにおいては、コンパレータＯＣ３ｓ及びコンパレータＯＣ４ｓを用いて不正行為の発生の有無が判定される。
【００６６】
なお、不正判定回路２０ｓには、図１３に示すように、発光ダイオード（ＬＥＤ）を設けることができる。
発光ダイオード（ＬＥＤ）は、コンパレータＯＣから出力された判定信号にもとづいて動作（点灯、消灯）する。
この発光ダイオード（ＬＥＤ）は、各コンパレータＯＣ１ｓ〜ＯＣ４ｓごとに接続することができる。また、発光ダイオード（ＬＥＤ）は、判定対象とされる出力信号Ｖｏｕｔ単位でそれぞれのコンパレータＯＣに接続することができる。前者の場合は、出力信号Ｖｏｕｔが中間レベルを上回ったために不正行為の発生を検出できたのか、あるいは下回ったために不正行為の発生を検出できたのかを知ることができる。一方、後者は、いずれの出力信号について不正行為が発生したかを知ることができる。
【００６７】
入力回路５１−１と接続配線５３とは三本の入力回路用基板配線５１−２（図１０、図１１においては、上から入力回路用第一基板配線５１−２１，入力回路用第二基板配線５１−２２，入力回路用第三基板配線５１−２３）により接続されている。
入力回路用第一基板配線５１−２１は、図１１に示すように、一方が配線ａに接続されており、他方が抵抗ｒ５４に接続されている。また、入力回路用第一基板配線５１−２１は、電源電圧Ｖｃｃが印加される電源端子が接続されている。なお、抵抗ｒ５４は、他方が入力回路用第二基板配線５１−２２に接続されている。この抵抗ｒ５４は、図１に示す抵抗Ｒ１ｄに相当する。
入力回路用第二基板配線５１−２２は配線ｂに、入力回路用第三基板配線５１−２３は配線ｃにそれぞれ接続されており、これら入力回路用第二基板配線５１−２２と入力回路用第三基板配線５１−２３との間の電圧が入力信号Ｖ０（図１の出力信号Ｖｏｕｔに相当）として出力される。
【００６８】
次に、不正検出回路Ａの動作について、図１４ａ〜図１４ｄを参照して説明する。
図１４ａ〜図１４ｄは、図１０、図１１に示した不正検出回路Ａの主要要素により構成した回路であって、図１４ａは、フォトインタラプタＦＩから信号が出力されていない場合（フォトインタラプタＦＩがＯＦＦの場合）、図１４ｂは、フォトインタラプタＦＩから信号が出力された場合（フォトインタラプタＦＩがＯＮの場合）、図１４ｃは、断線した場合、図１４ｄは、短絡した場合をそれぞれ示す。
【００６９】
フォトインタラプタＦＩから信号が出力されていない場合は、図１４ａに示すように、電源Ｖｃｃ→抵抗ｒ５４→抵抗Ｒ５１→抵抗Ｒ５２→接地のように電流が流れる。
このため、不正判定回路２０ｓに入力される電圧は、次式で示される。
出力電圧＝（電源電圧Ｖｃｃ／（抵抗Ｒ５１＋抵抗Ｒ５２＋抵抗ｒ５４））×（抵抗Ｒ５１＋抵抗Ｒ５２）
・・・（式７）
この式７は、前述の式１に相当し、不正判定回路２０ｓにおいては、中間レベルのうち高位レベルとなる。このため、中間レベルを逸脱しておらず、不正行為は発生していないものと判定される。
【００７０】
フォトインタラプタＦＩから信号が出力されている場合は、図１４ｂに示すように、電源Ｖｃｃ→抵抗ｒ５４→抵抗Ｒ５１→フォトインタラプタＦＩの出力トランジスタ→接地のように電流が流れる。
このため、不正判定回路２０ｓに入力される電圧は、次式で示される。
出力電圧＝（電源電圧Ｖｃｃ／（抵抗ｒ５４＋抵抗Ｒ５１））×抵抗Ｒ５１
・・・（式８）
この式８は、前述の式３に相当し、不正判定回路２０ｓにおいては、中間レベルのうち低位レベルとなる。このため、中間レベルを逸脱しておらず、不正行為は発生していないものと判定される。
【００７１】
図１４ｃに示す位置で断線した場合や図１４ｄに示す位置で短絡した場合、不正判定回路２０ｓに入力される電圧は、次式で示される。
出力電圧＝０［Ｖ］                              ・・・（式９）
この式９は、前述の式６に相当し、不正判定回路２０ｓにおいては、中間レベルを逸脱しているものと判定し、異常が発生したものとされる。
なお、電源Ｖｃｃが切断されたときにも、不正判定回路２０ｓに入力される出力信号Ｖｏｕｔは０Ｖとなるため、異常が発生したものとして判定される。
【００７２】
＜コネクタを介して接続される主基板及び接続配線（不正検出回路Ｂ）＞
遊技機で発生する不正行為には、例えば、遊技を制御する主制御基板の収納ボックスを開けてＲＯＭを交換するものや、収納ボックス自体を交換するものなどがある。
これら不正行為は、主制御基板のコネクタの一部又は全部を抜かなければ不可能である。そこで、コネクタが外れたことを検出する不正検出回路Ｂを提供する。
【００７３】
不正検出回路Ｂについて、図１０、図１５を参照して説明する。
図１５は、図１０に示す回路図のうち、不正検出回路Ｂ（１０Ｂ）に関する部分を取り出して示した回路図である。
図１０、図１５に示すように、主基板５１には、異常検出用配線５４と、抵抗Ｒ５５と、抵抗ｒ５３が設けられている。
異常検出用配線５４は、主基板５１の基板上に配される異常検出用基板配線５４−１と、主基板５１に接続される接続配線５３のそれぞれのコネクタＫ１１〜Ｋ１ｎに設けられる異常検出用接続配線５４−２とにより構成されている。
【００７４】
異常検出用基板配線５４−１は、複数の接続配線５３のすべてがコネクタＫ１１〜Ｋ１ｎにより主基板５１に接続（嵌め込み）された状態で、それらコネクタＫ１１〜Ｋ１ｎの各異常検出用接続配線５４−２が直列に接続されるように配されている。そして、異常検出用基板配線５４−１の一端が抵抗Ｒ５５を介して接続配線５３の配線ｄに接続されており、他端が接続配線５３の配線ｅに接続されている。
なお、抵抗Ｒ５５は、図１に示す抵抗Ｒ１１に相当し、抵抗ｒ５３は、図１に示す抵抗Ｒ１ｄに相当する。
【００７５】
不正検出回路１０Ｂの出力信号Ｖｏｕｔを入力する不正判定回路２０は、不正検出回路Ａで用いられる不正判定回路２０ｓ（図１２）と同様の構成である。
ただし、この不正判定回路２０ｓは、接続配線５３の配線ｄ−配線ｅ間の電圧を入力する。そして、コンパレータＯＣ１ｓとコンパレータＯＣ２ｓとを用いて、その入力した電圧と閾値とを比較して不正検出を行う。
【００７６】
次に、不正検出回路Ｂの動作について、図１６ａ，図１６ｂを参照して説明する。
図１６ａは、主基板５１に接続すべき接続配線５３がコネクタＫ１１〜Ｋ１ｎによりすべて接続（嵌め込み）されている場合、図１６ｂは、コネクタＫの一つ（例えば、コネクタＫ１ｎ）が外された場合をそれぞれ示す。
【００７７】
主基板５１に接続すべき接続配線５３がすべて接続されている場合は、図１６ａに示すように、電源Ｖｃｃ→抵抗ｒ５３→抵抗Ｒ５５→異常検出用配線５４→不正判定回路２０ｓのように電流が流れる。
このため、不正判定回路２０ｓに入力される電圧は、次式で示される。
出力電圧＝（電源電圧Ｖｃｃ／（抵抗ｒ５３＋抵抗Ｒ５５））×抵抗Ｒ５５
・・・（式１０）
この式１０は、前述の式３に相当し、不正判定回路２０ｓにおいては、中間レベルのうち低位レベルとなる。このため、中間レベルを逸脱しておらず、不正行為は発生していないものと判定される。
【００７８】
コネクタＫの一つ（例えば、コネクタＫ１ｎ）が外された場合は、図１６ｂに示すように、異常検出用配線５４で断線状態となり、この異常検出用配線５４には電流ｉが流れない。この異常検出用配線５４の断線状態の場合と配線ｄ，配線ｅで断線した場合とにおいて、不正判定回路２０ｓに入力される電圧は、次式で示される。
出力電圧＝電源電圧Ｖｃｃ                      ・・・（式１１）
この式１１は、前述の式５に相当し、不正判定回路２０ｓにおいては、中間レベルを逸脱しているものと判定し、異常が発生したものとされる。
【００７９】
配線ｄ，配線ｅで短絡した場合、不正判定回路２０ｓに入力される電圧は、次式で示される。
出力電圧＝０［Ｖ］                            ・・・（式１２）
この式１２は、前述の式６に相当し、不正判定回路２０ｓにおいては、中間レベルを逸脱しているものと判定し、異常が発生したものとされる。
なお、電源Ｖｃｃが切られたときにも、不正判定回路２０ｓに入力される出力信号Ｖｏｕｔは０Ｖとなるため、異常が発生したものとして判定される。
【００８０】
＜払出信号が出力、送信される回路（不正検出回路Ｃ）＞
遊技機で発生する不正行為には、例えば、払出信号に関する不正（ぶら下げ）がある。
スロットマシンにおけるメダル払出機のメダル払い出し信号や、パチンコ機における賞球払出信号をオープンにすると、いくら払い出しても信号が出力されないため、大量のメダルや玉が不正に獲得されてしまう。
この不正を確実に検出する不正検出回路Ｃを提供する。
【００８１】
不正検出回路Ｃについて、図１７を参照して説明する。
同図は、不正検出回路Ｃの構成を示す回路図である。
同図に示すように、不正検出回路Ｃ（１０Ｃ）は、払出センサ７０と、抵抗Ｒ７１と、抵抗Ｒ７２と、抵抗ｒ７３と、不正判定回路２０ｔとを有している。
払出センサ７０は、メダルが払い出されたことを検出し、検出信号を出力する。なお、この払出センサ７０の機能については、特開２００４−１７３８７６号公報などに開示されている。
【００８２】
抵抗Ｒ７１は、払出センサ７０から出力される検出信号の入力端子にシリアルに接続されている。抵抗Ｒ７２は、払出センサ７０から出力される検出信号の入力端子にパラレルに接続されている。
なお、抵抗Ｒ７１は、図１に示す抵抗Ｒ１１に相当し、抵抗Ｒ７２は、図１に示す抵抗Ｒ１２に相当する。
【００８３】
不正判定回路２０ｔは、不正検出回路Ｃで異常が発生したか否かを判定する。
接続配線５３の配線ｆと抵抗Ｒ７１との間を点ウとし、接続配線５３の配線ｇと払出センサ６１との間を点エとすると、これら点ウ−点エ間の電圧を入力する。そして、この入力した電圧と閾値とを比較して、不正行為が発生したか否かを判定する。
【００８４】
主基板５１においては、接続配線５３の配線ｆに接続された払出信号第一基板配線７４−１と、接続配線５３の配線ｇに接続された払出信号第二基板配線７４−２との間の電圧を払出信号として出力する。
抵抗ｒ７３は、一方が電源端子Ｖｃｃに接続されており、他方が払出信号基板配線７４ａに接続されている。
なお、抵抗ｒ７３は、図１に示す抵抗Ｒ１ｄに相当する。
【００８５】
次に、不正検出回路Ｃの動作について説明する。
払出センサ７０から検出信号が出力されていない場合は、電源Ｖｃｃ→抵抗ｒ７３→抵抗Ｒ７１→抵抗Ｒ７２→接地のように電流が流れる。
このため、不正判定回路２０ｔに入力される電圧は、次式で示される。
出力電圧＝（電源電圧Ｖｃｃ／（抵抗ｒ７３＋抵抗Ｒ７１＋抵抗Ｒ７２））×（抵抗Ｒ７１＋抵抗Ｒ７２）
・・・（式１３）
この式１３は、前述の式１に相当し、不正判定回路２０ｔにおいては、中間レベルのうち低位レベルとなる。このため、中間レベルを逸脱しておらず、不正行為は発生していないものと判定される。
【００８６】
払出センサ７０から検出信号が出力されている場合は、電源Ｖｃｃ→抵抗ｒ７３→抵抗Ｒ７１→入力端子→接地のように電流が流れる。
このため、不正判定回路２０ｔに入力される電圧は、次式で示される。
出力電圧＝（電源電圧Ｖｃｃ／（抵抗ｒ７３＋抵抗Ｒ７１））×抵抗Ｒ７１
・・・（式１４）
この式１４は、前述の式３に相当し、不正判定回路２０ｔにおいては、中間レベルのうち高位レベルとなる。このため、中間レベルを逸脱しておらず、不正行為は発生していないものと判定される。
【００８７】
断線した場合や短絡した場合、不正判定回路２０ｔに入力される電圧は、次式で示される。
出力電圧＝０［Ｖ］                            ・・・（式１５）
この式１５は、前述の式６に相当し、不正判定回路２０ｔにおいては、中間レベルを逸脱しているものと判定し、異常が発生したものとされる。
なお、電源Ｖｃｃが切られたときにも、不正判定回路２０ｔに入力される出力信号Ｖｏｕｔは０Ｖとなるため、異常が発生したものとして判定される。
【００８８】
＜メダルセレクタから出力されるメダル検知信号の送信される回路（不正検出回路Ｄ）＞
遊技機で発生する不正行為には、例えば、メダル検知信号に関する不正（ぶら下げ）がある。
スロットマシンにおいて、投入されたメダルがメダルセレクタ３１−１で検知されると、メダル検知信号がメダル検知センサから主基板５１へ送られる。このメダル検知信号が送られる配線や端子にパルス発生装置をぶら下げることにより、クレジットがフルになった後のオーバー分を不正に得ることができる。
この不正を確実に検出する不正検出回路Ｄを提供する。
【００８９】
不正検出回路Ｄについて、図１８を参照して説明する。
同図は、不正検出回路Ｄの構成を示す回路図である。
同図に示すように、不正検出回路Ｄ（１０Ｄ）は、メダルセレクタ（メダル検知センサ）３１−１と、抵抗Ｒ８１と、抵抗Ｒ８２と、抵抗ｒ８３と、不正判定回路２０ｕと、メダル検知信号基板配線８４（メダル検知信号第一基板配線８４−１、メダル検知信号第二基板配線８４−２）を有している。
抵抗Ｒ８１、抵抗Ｒ８２、抵抗ｒ８３、不正判定回路２０ｕ、メダル検知信号第一基板配線８４−１、メダル検知信号第二基板配線８４−２は、それぞれ不正検出回路Ｃの抵抗Ｒ７１、抵抗Ｒ７２、抵抗ｒ７３、不正判定回路２０ｔ、払出信号第一基板配線７４−１、払出信号第二基板配線７４−２に相当し、同様の機能を有している。
不正検出回路Ｄの動作は、不正検出回路Ｃの動作と同様であり、正常時には、メダル検知信号は中間レベルを示し、不正行為が発生したとき、不正判定回路２０ｔでは０Ｖが検出される。
【００９０】
［遊技場システム］
次に、本発明の遊技場システムの実施形態について、図１９を参照して説明する。
同図に示すように、遊技場システムＨＳは、遊技機９１と、管理装置９２と、これらを接続する通信路９３とを備えている。
遊技機９１は、不正検出回路（遊技機側不正検出回路）９１−１と、不正検出信号送信手段９１−２とを有している。
遊技機側不正検出回路９１−１は、不正検出信号を出力する。この遊技機側不正検出回路９１−１には、前述した実施形態の不正検出回路Ａ〜不正検出回路Ｄを用いることができる。
不正検出信号送信手段９１−２は、遊技機側不正検出回路９１−１から送られてきた不正検出信号を管理装置９２へ送信する。
【００９１】
管理装置９２は、不正検出回路（管理装置側不正検出回路）９２−１を有している。
管理装置側不正検出回路（通信路不正検出回路）９２−１は、不正検出信号送信手段９１−２から送信されてきた不正検出信号を受信し、この受信信号の示す値にもとづいて、通信路９３における不正行為（不正検出信号を対象とした不正行為）が発生したか否かを判断する。
【００９２】
すなわち、管理装置側不正検出回路９２−１は、送信されてきた不正検出信号を受信したときの受信信号、又は、不正検出信号が送信されていないときの受信信号のうち一方又は双方を、電源電圧と０Ｖとの中間レベルに設定し、中間レベルを逸脱した受信信号を検出すると、前記通信路で不正行為が発生したことを示す不正検出信号を出力する。
遊技場システムをこのような構成とすれば、不正信号が送信される通信路を対象とした不正行為についても検出できる。
【００９３】
以上、本発明の不正検出回路、遊技機及び遊技場システムの好ましい実施形態について説明したが、本発明に係る不正検出回路、遊技機及び遊技場システムは上述した実施形態にのみ限定されるものではなく、本発明の範囲で種々の変更実施が可能であることは言うまでもない。
例えば、上述した実施形態では、不正判定回路を従基板に備える構成としたが、不正判定回路は従基板に備えることに限るものではなく、主基板に備えることもできる。
また、上述した実施形態では、異常検出用配線を主基板に備える構成としたが、異常検出用配線は主基板に備えることに限るものではなく、従基板やこれに接続される接続配線に設けることもできる。
【産業上の利用可能性】
【００９４】
本発明は、遊技機や遊技場システムで発生する不正行為を検出する装置に関する発明であるため、各種遊技機や管理装置などに利用可能である。
【図面の簡単な説明】
【００９５】
【図１】本発明の不正検出回路の構成を示す回路図である。
【図２】図１に示す不正検出回路で断線が発生した状態を示す回路図である。
【図３】図１に示す不正検出回路で短絡が発生した状態を示す回路図である。
【図４】図１に示す不正検出回路における入力信号と出力信号との関係を示す図表である。
【図５】不正判定回路の構成を示す回路図である。
【図６】中間レベル、上位閾値設定範囲、下位閾値設定範囲の関係を示す説明図である。
【図７】入力信号と不正検出信号との関係を示す図表である。
【図８】本発明の遊技機（スロットマシン）の外部構成を示す正面図である。
【図９】本発明の遊技機（スロットマシン）の内部構成を示す斜視図である。
【図１０】不正検出回路Ａ及び不正検出回路Ｂが設けられた主基板及び従基板の構成を示す回路図である。
【図１１】不正検出回路Ａの構成を示す回路構成図である。
【図１２】従基板に設けられる不正判定回路の回路構成を示す回路図である。
【図１３】不正判定回路の他の回路構成を示す回路図である。
【図１４ａ】不正検出回路ＡにおいてフォトインタラプタＦＩがＯＦＦのときの電流の流れを示す回路図である。
【図１４ｂ】不正検出回路ＡにおいてフォトインタラプタＦＩがＯＮのときの電流の流れを示す回路図である。
【図１４ｃ】不正検出回路Ａにおいて断線が発生したときの電流の流れを示す回路図である。
【図１４ｄ】不正検出回路Ａにおいて短絡が発生したときの電流の流れを示す回路図である。
【図１５】不正検出回路Ｂの回路構成を示す回路図である。
【図１６ａ】不正検出回路Ｂにおいてコネクタ外しが発生していないときの電流の流れを示す回路図である。
【図１６ｂ】不正検出回路Ｂにおいてコネクタ外しが発生したときの電流の流れを示す回路図である。
【図１７】不正検出回路Ｃの回路構成を示す回路図である。
【図１８】不正検出回路Ｄの回路構成を示す回路図である。
【図１９】本発明の遊技機システムの構成を示す回路構成図である。
【符号の説明】
【００９６】
１０（１０Ａ，１０Ｂ，１０Ｃ，１０Ｄ）  不正検出回路
２０（２０ｓ，２０ｔ，２０ｕ）  不正判定回路
２１  分圧回路
２２  不正検出信号出力手段
３０  遊技機（スロットマシン）
３１−１  メダルセレクタ（メダル検知センサ）
５０  制御手段
５１  主基板
５１−１  入力回路
５１−２  入力回路用基板配線
５２  従基板
５２ａ  スタートレバーユニット
５３  接続配線
５４  異常検出用配線
５４−１  異常検出用基板配線
５４−２  異常検出用接続配線
７０  払出センサ
９１  遊技機
９１−１  遊技機側不正検出回路
９１−２  不正検出信号送信手段
９２  管理装置
９２−１  管理装置側不正検出回路
９３  通信路
Ｒ１１  第一抵抗
Ｒ１２  第二抵抗
Ｒ１ｄ  第三抵抗
Ｖｃｃ  電源電圧
Ｒ２１〜Ｒ２３、Ｒ６１〜Ｒ６３  分圧抵抗
ＯＣ１〜ＯＣ４  コンパレータ
ＬＥＤ  発光ダイオード
Ｋ１１〜Ｋ１ｎ  コネクタ部
Ｃ１１〜Ｃ１ｎ  コネクタ部
ＦＩ  フォトインタラプタ
ＨＳ  遊技場システム
【図１】
2006109943.tif 000003
【図２】
2006109943.tif 000004
【図３】
2006109943.tif 000005
【図４】
2006109943.tif 000006
【図５】
2006109943.tif 000007
【図６】
2006109943.tif 000008
【図７】
2006109943.tif 000009
【図８】
2006109943.tif 000010
【図９】
2006109943.tif 000011
【図１０】
2006109943.tif 000012
【図１１】
2006109943.tif 000013
【図１２】
2006109943.tif 000014
【図１３】
2006109943.tif 000015
【図１４ａ】
2006109943.tif 000016
【図１４ｂ】
2006109943.tif 000017
【図１４ｃ】
2006109943.tif 000018
【図１４ｄ】
2006109943.tif 000019
【図１５】
2006109943.tif 000020
【図１６ａ】
2006109943.tif 000021
【図１６ｂ】
2006109943.tif 000022
【図１７】
2006109943.tif 000023
【図１８】
2006109943.tif 000024
【図１９】
2006109943.tif 000025